(57)【要約】【課題】外出する際にケーブルを持ち忘れるのを防止することができる通信ケーブル収納用ストラップ具を提供する。【解決手段】携帯電話機器４及び電子機器と接続する第１のコネクタ３１及び第２のコネクタをケーブル３３両端に設けた通信ケーブル体３と、携帯電話機器４又は電子機器に取付ける紐部２２を有する収納体２とを備え、紐部２２を介して携帯電話機器４又は電子機器に取付けた収納体２に備える収納室に第１コネクタ３１及び第２のコネクタを収納して固定したケーブル体３の輪状をなすケーブル３３を、使用者の身体又は携行品の一部に吊り下げるストラップの紐として用いた。【選択図】　図３
2004079971.tif 000002
【特許請求の範囲】
【請求項１】
携帯電話機器及び電子機器にそれぞれ接続する第１のコネクタ及び第２のコネクタをケーブル両端に設けた通信ケーブル体と、
前記携帯電話機器又は前記電子機器に取付ける紐部を有する収納体とを備え、
前記紐部を介して前記携帯電話機器又は前記電子機器に取付けた前記収納体の内部に備える収納室に前記第１コネクタ及び第２のコネクタを収納して固定した前記ケーブル体の輪状をなす前記ケーブルを、使用者の身体又は携行品の一部に吊り下げるストラップの紐として用いたことを特徴する通信ケーブル収納用ストラップ具。
【請求項２】
前記収納体は、
前記ケーブル体の前記第１及び第２のコネクタを収納させる収納室及び収納された前記第１及び第２のコネクタを固定状態で固定又は保持する固定保持手段を設けた本体部と、
前記携帯電話機器又は前記電子機器に設けたストラップ取付け孔に取付けて前記携帯電話機器又は前記電子機器と一体に連結するために前記本体部に設けたループ状の紐部と
を備えたことを特徴とする請求項１に記載の通信ケーブル収納用ストラップ具。
【請求項３】
前記収納室は、前記第１のコネクタ用の第１の収納室と、前記第２のコネクタ用の第２の収納室とを備え、
前記第１及び第２の収納室に収納すべき前記第１及び第２のコネクタは、前記本体部の互いに反対側の面に開口した挿入孔から挿入するように構成したことを特徴とする請求項１又は２に記載の通信ケーブル収納用ストラップ具。
【請求項４】
前記固定保持手段は、前記ケーブル体の各コネクタを前記収納体の前記各収納室に挿入すると自動的に固定又は保持するロック状態となるように構成するとともにワンタッチでロック解除する手段を備えたことを特徴とする請求項１又は２に記載の通信ケーブル収納用ストラップ具。
【請求項５】
前記通信ケーブル体の前記コネクタ及び前記収納体の表面に、それぞれ文字又は意匠を部分的に印字又は印刷して設け、前記コネクタ及び前記収納体を所定の配置で組付けた場合に全体として固有の文字又は意匠を形成するように構成したことを特徴とする請求項１又は２に記載の通信ケーブル収納用ストラップ具。
【請求項６】
携帯電話機器及び電子機器とそれぞれ接続する第１のコネクタ及び第２のコネクタをケーブル両端に設けた通信ケーブル体と、
前記携帯電話機器又は前記電子機器に取付ける紐部を有する収納体と
を備え、
前記紐部を介して前記携帯電話機器又は前記電子機器に取付けた前記収納体に備える収納室は、少なくとも前記第１のコネクタ及び第２のコネクタを収容可能な大きさを有するとともに、
前記収納体の一面には、前記通信ケーブル体の前記ケーブルのみが通過可能な大きさに開口し前記収納室に連通する挿通孔を有し、
前記収納体には、前記第１のコネクタ及び第２のコネクタを挿入可能な大きさに開口した挿入孔を有し、
前記第１のコネクタ及び第２のコネクタを前記収納室にまとめて収納した前記ケーブル体の輪状をなす前記ケーブルを、使用者の身体又は携行品の一部に吊り下げるストラップ用の紐として用いたことを特徴する通信ケーブル収納用ストラップ具。
【請求項７】
前記収納体の前記ループ状の紐部に各種キーを取付けたことを特徴とする請求項１、２、６のいずれか１項に記載の通信ケーブル収納用ストラップ具。
【発明の詳細な説明】
【０００１】
【発明の属する技術分野】
本発明は、通信ケーブルを普段使用しないときにストラップ紐として兼用し、通信ケーブルを携帯電話機器に携行・携帯することができる通信ケーブル収納用ストラップ具に関するものである。
【０００２】
【従来の技術】
近年、パーソナルコンピュータ（以下、「ＰＣ」と略す）が広く普及しており、このＰＣの普及に伴って、このＰＣを介在としたインターネットやメールの送受信が広く行われている。このインターネットやメールの送受信は、通常、一般に、家庭や会社などの室内などにおいて、予め屋内配線されたメタリックケーブル又は光ファイバにより、電話口のモジュラジャックを介してケーブルを接続させて行うようになっている。
【０００３】
このため、特に、カード式の通信モデム等をＰＣスロットなどに直接差込んで通信を行わない限り、自宅や会社などを離れた屋外などのように移動先で通信リンクを維持して、普段使用しているいつも通りのＩＰアドレスをそのまま用いてインターネットやメールの送受信を行うことはできない。
【０００４】
一方、最近普及が目覚しい携帯電話機やＰＨＳ（Ｐｅｒｓｏｎａｌ　Ｈａｎｄｙｐｈｏｎｅ　Ｓｙｓｔｅｍ）などの携帯無線機器にあっては、音声通信ばかりか、メールの送受信、或いはインターネットの接続などが可能となるように、各種様々な機能を備えたものが開発されている。
【０００５】
また、ＰＣについても、このような携帯電話機器に有する通信機能を利用して、普段自宅などで使用しているアドレスをそのまま用いて、移動先での自由なメールの送受信、或いはインターネットの接続、更にはＷＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）等をふまえた高速データ通信を可能とするために、例えば図１７に示すように、専用の移動通信用ケーブル１０１により携帯電話機１０２側とＰＣ（或いは情報端末機器）１０３側とを接続させてこれを実現することができるものが知られている。
【０００６】
ところで、このような移動通信用のケーブル１０１には、例えば図１８に示すように、一端にＰＣ１０４側のＵＳＢ（Ｕｎｉｖｅｒｓａｌ　Ｓｅｒｉａｌ　Ｂｕｓ）端子（或いは情報端末機器、例えばＰＤＡ（Ｐｅｒｓｏｎａｌ　Ｄｉｇｉｔａｌ　Ａｓｓｉｓｔａｎｔ；携帯情報端末装置）側の接続端子）などに接続させるコネクタ（以下、これをＰＣ側コネクタとよぶ）１０１Ａを備えるとともに、他端に携帯電話機１０２側の接続端子に接続させるコネクタ（以下、これを端末側コネクタとよぶ）１０１Ｂを備えた構成のものが用いられている。
【０００７】
【発明が解決しようとする課題】
ところで、前述したように、移動する乗り物の中や外出先での所望の場所において、図１９に示すように、ＰＣ（或はＰＤＡ）１０４での通信を行うためには、このＰＣ（或はＰＤＡ）１０４ととともに、移動通信用ケーブル１０１が不可欠であり、この移動通信用ケーブル１０１は、他のもので代用するのができないので、ＰＣ（或はＰＤＡ）１０３及び携帯電話機器１０２と一緒に携行することが必要になっている。
【０００８】
ところで、ＰＣ（或はＰＤＡ）や情報端末機器は、ある程度の大きさ及び容積があり、例えば机上などに置いてあればその存在が目立つため、外出する際に持ち忘れることは比較的少ない。一方、移動通信用ケーブルは、携帯電話機やＰＣ或はＰＤＡなどの情報端末機器にいつも接続させておくべきものではないので、しかもケーブル自体は細くて長いために小さく折り畳むなどして机の引出しなどにしまい込み易く、その存在が目立ち難いので、外出する際にも一緒に持参するのを忘れやすい。
【０００９】
そこで、本発明は、外出する際にケーブルを持ち忘れるのを防止することができる通信ケーブル収納用ストラップ具を提供することを目的とするものである。
【００１０】
【課題を解決するための手段】
本発明の通信ケーブル収納用ストラップ具は、携帯電話機器及び電子機器にそれぞれ接続する第１のコネクタ及び第２のコネクタをケーブル両端に設けた通信ケーブル体と、
前記携帯電話機器又は前記電子機器に取付ける紐部を有する収納体とを備え、前記紐部を介して前記携帯電話機器又は前記電子機器に取付けた前記収納体の内部に備える収納室に前記第１コネクタ及び第２のコネクタを収納して固定した前記ケーブル体の輪状をなす前記ケーブルを、使用者の身体又は携行品の一部に吊り下げるストラップの紐として用いたことを特徴としている。
【００１１】
これにより、通信ケーブル体を収納体に着脱可能な状態で一体に固定することができるとともに、収納体を携帯電話機器又は電子機器に常時取付けておくことができるので、外出する際に通信ケーブル体を持ち忘れるのを防止することができる。
【００１２】
また、本発明の通信ケーブル収納用ストラップは、
前記収納体が、
前記ケーブル体の前記第１及び第２のコネクタを収納させる収納室及び収納された前記第１及び第２のコネクタを固定状態で固定又は保持する固定保持手段を設けた本体部と、
前記携帯電話機器又は前記電子機器に設けたストラップ取付け孔に取付けて前記携帯電話機器又は前記電子機器と一体に連結するために前記本体部に設けたループ状の紐部と
を備えたことを特徴としている。
【００１３】
これにより、通信ケーブル体は、第１及び第２のコネクタを収納体の収納室に収納させて、固定保持手段により着脱可能な状態で収納体に一体に固定することができる。
【００１４】
また、本発明の通信ケーブル収納用ストラップ具は、
前記収納室が、前記第１のコネクタ用の第１の収納室と、前記第２のコネクタ用の第２の収納室とを備え、
前記第１及び第２の収納室に収納すべき前記第１及び第２のコネクタは、前記本体部の互いに反対側の面に開口した挿入孔から挿入するように構成したことを特徴としている。
【００１５】
これにより、通信ケーブル体は、第１及び第２のコネクタを収納体の互いに反対面から収納室に収納させて、固定保持手段により着脱可能な状態で収納体に一体に固定することができる。従って、第１及び第２のコネクタを収納体の両面から独立別個に着脱させることができ、着脱時の操作性を向上させることができる。
【００１６】
また、本発明の通信ケーブル収納用ストラップ具は、
前記固定保持手段が、前記ケーブル体の各コネクタを前記収納体の前記各収納室に挿入すると自動的に固定又は保持するロック状態になるように構成するとともにワンタッチでロック解除する手段を備えたことを特徴としている。
【００１７】
これにより、各コネクタを収納体の各収納室に挿入するときの動作によって自動的に固定できるので、うっかりロックをし忘れたことにより、ケーブルを持ち上げたときにコネクタが収納体から外れてしまい、携帯電話機器又は電子機器が地面に叩き付けられて破損、故障などの事故につながることが確実に防止できる。
【００１８】
また、本発明の通信ケーブル収納用ストラップ具は、前記通信ケーブル体の前記コネクタ及び前記収納体の表面に、それぞれ文字又は意匠を部分的に印字又は印刷して設け、前記コネクタ及び前記収納体を所定の配置で組付けた場合に全体として固有の文字又は意匠を形成するように構成したことを特徴としている。
【００１９】
これにより、収納体の本体部の各収納室に各コネクタをそれぞれ収納したときに、前記コネクタ及び前記本体部の表面全体で、固有の単語又は意匠を構成することができ、各コネクタを収納させるべき収納室及びこれにつながる挿入口がどちらであるかが、その固有の単語又は意匠を手掛かりにして、容易に推定することができるようになる。
【００２０】
また、本発明の通信ケーブル収納用ストラップ具は、携帯電話機器及び電子機器とそれぞれ接続する第１のコネクタ及び第２のコネクタをケーブル両端に設けた通信ケーブル体と、
前記携帯電話機器又は前記電子機器に取付ける紐部を有する収納体と
を備え、
前記紐部を介して前記携帯電話機器又は前記電子機器に取付けた前記収納体に備える収納室は、少なくとも前記第１のコネクタ及び第２のコネクタを収容可能な大きさを有するとともに、
前記収納体の一面には、前記通信ケーブル体の前記ケーブルのみが通過可能な大きさに開口し前記収納室に連通する挿通孔を有し、
前記前記収納体には、前記第１のコネクタ及び第２のコネクタを挿入可能な大きさに開口した挿入孔を有し、
前記第１のコネクタ及び第２のコネクタを前記収納室にまとめて収納した前記ケーブル体の輪状をなす前記ケーブルを、使用者の身体又は携行品の一部に吊り下げるストラップ用の紐として用いたことを特徴としている。
【００２１】
これにより、外出する際に通信ケーブル体を持ち忘れるのを防止することができる通信ケーブル収納用ストラップ具を、簡単な構造のもので形成することができる。
【００２２】
また、本発明の通信ケーブル収納用ストラップ具は、前記収納体の前記ループ状の紐部に各種キーを取付けたことを特徴している。
【００２３】
これにより、収納体がループ状の紐部に各種キーを取付けるキーホルダを兼用することができる。
【００２４】
【発明の実施の形態】
以下、本発明の実施の形態について、添付図面を参照しながら詳細に説明する。
［第１の実施の形態］
図１乃至図３は、本発明の第１の実施の形態に係る通信ケーブル収納用ストラップ具１を示すものであり、この通信ケーブル収納用ストラップ具１は、収納体２と、後述する携帯電話機４と図示外の電子機器との間の通信接続用の通信ケーブル体（以下、「ケーブル体」と略す）３とを一体に結合させた構成のものであり、携帯電話機４（図３参照）を吊り下げて携帯電話機４と一体に携行・携帯することができるようなっている。
なお、この発明の通信ケーブル収納用ストラップ具１は、本実施の形態のように特に携帯電話機を吊り下げる構成に限定されるものではなく、比較的小さな電子機器、例えばＰＤＡなどであればこれを吊り下げるように構成してもよい。また、通信接続用のケーブル体３は、詳細については後述するが、吊り下げ紐として利用することができるようになっている。
【００２５】
通信ケーブル収納用ストラップ具１の収納体２は、大略構成として、本体部２１と、紐部２２と、固定（保持）手段２３とを備えている。
【００２６】
このうち、本体部２１は、略箱型形状を有するとともに、一方の端面には後述する各コネクタを収納するための収納室への入り口となる第１挿入孔２１Ａ及び第２挿入孔２１Ｂを個別に開口させている。
【００２７】
この第１挿入孔２１Ａ及び第２挿入孔２１Ｂの内部には、それぞれ、第１コネクタ３１及び第２コネクタ３２を収容する第１収納室（図示せず）及び第２収納室２１Ｃ（図４参照）が形成されているとともに、この第１収納室及び第２収納室２１Ｃには、それぞれ、第１コネクタ３１を固定保持する固定手段（図示せず）及び第２コネクタ３２を固定保持する後述する固定手段２３が付設されている。
【００２８】
一方、紐部２２は、携帯電話機４（図３参照）に取付けて携帯電話機４を一体に保持するためのものであり、本体部２１の他方の面から２本をループ状に突出させた状態で設けられており、携帯電話機４のストラップ取付け孔（図略）に抜け落ちたりしない状態で取付けることができるようになっている。
【００２９】
固定手段２３は、ケーブル体３とともにストラップ具１を構成する際の使用者の首（或いは使用者の携行する鞄などでもよい）などに引掛けるリング状のストラップとするために、ケーブル体３の第２コネクタ３２を固定保持するものであり、本実施の形態では、図４に示すように、第２コネクタ３２を収納する第２収納室２１Ｃと一部連通する固定室２１Ｄに設置されている。
【００３０】
この固定手段２３は、略鋏状に形成された本体２３Ａと、力点に相当する基端部側のアーム部２３Ｂと、このアーム部２３Ｂ間に架設された圧縮ばね２３Ｃとを備えており、支点に相当する回動軸２３Ｄを中心として回動可能な状態で収納体２側の本体部２１に取付けられている。このため、固定手段２３には、作用点に相当する先端部側のアーム部２３Ｅに閉鎖する方向の弾性力が常時付与されており、第２収納室２１Ｃに第２のコネクタ２２を挿入するとアーム部２３Ｅで挟持されて固定状態が保持されるので、解除部２３Ｆを押し込まないかぎり、挿入されている第２のコネクタ３２側を収納体２側の本体部２１から引出すことができないようになっている。
なお、この固定手段２３としては、本実施の形態に限定されるものではなく、各種様々な構成のものが適用可能である。
【００３１】
解除部２３Ｆは、図５に示すように、略Ｔ字型を呈する形状に形成されているとともに基端部側には長孔２３１が穿設されており、アーム部２３Ｅ側に植立させた係合ピン２３Ｇがこの長孔２３１に係合されることにより、解除部２３Ｆがアーム部２３Ｅと一体に連結された状態となっている。
また、この解除部２３Ｆには、基端部側から突出する略棒状の操作部２３２が収納体２側の本体部２１に設けたスライド孔２１１から外部に突出した状態で設けられており、圧縮ばね２３Ｃの弾性力に抗してこの操作部２３２を押下することにより第２のコネクタ３２のロック状態が解除され、収納室２３Ｂから脱出することができるようになっている。
【００３２】
一方、アーム部２３Ｅは、図４及び図６に示すように、先端部が互いに内方に向かって折曲した形状を有しており、その折曲した先端部で第２のコネクタ３２を保持部３２Ａの背面側から押し付けることにより、第２のコネクタ３２が第２収納室２１Ｃから脱出するのを阻止できるようになっている。
また、このアーム部２３Ｅは、図６（Ａ）に示すように、普段、第２のコネクタ３２が収納されていない場合には、先端部が一定角度に閉じた状態で保持しておくために、収納体２側の第２収納室２１Ｃと固定室２１Ｄとの隔壁２１Ｅに係止するようになっており、この状態で第２のコネクタ３２が挿入されてくるのを待ち構えている。
【００３３】
さらにまた、このアーム部２３Ｅは、図６（Ａ）に示す待ち状態のときに第２のコネクタ３２の挿入方向に対して先端面２３３が一体角度θに傾斜したテーパ面を構成しており、第２のコネクタ３２がスムースに挿入できるのと同時に、アーム部２３Ｅが図６（Ｂ）に示す状態まで第２のコネクタ３２を保持部３２Ａに押し出されてスムースに開放できるように構成されている。
【００３４】
なお、本実施の形態では、第１コネクタ３１側の固定手段について説明を省略したが、前述の固定手段２３と同様の構成であってもよいし、また携帯電話機４側の図示外の公知の被係止手段との電気的接続用としてこの第１コネクタ３１側自身が備えた係止手段３１Ｂを利用するため、携帯電話機４側の被係止手段と同様の構成の固定手段を、第１収納室と連通する固定室（ともに図示せず）内に設けた構成としてもよい。
【００３５】
通信接続用のケーブル体３は、図３において、携帯電話機４の接続端子４１に接続する第１のコネクタ３１と、電子機器である例えば図示外のＰＣ（又は情報端末装置等、例えばＰＤＡ；携帯情報端末装置）のＵＳＢ端子に接続する第２のコネクタ３２と、これらを両端に設けた断面矩形状又は円型のケーブル３３とを備えている。
【００３６】
このうち、第１のコネクタ３１は、収納体２側の本体部２１の挿入孔２１Ａから収納室（図略）に差込んで奥部へ挿入させたのち、この第１のコネクタ３１自身に備えた係止手段により、具体的には、図１において、第１のコネクタ３１に備える保持部３１Ａの両側面に設けた操作部３１Ｂを互いに近づく方向に押し込むことにより、前述の収納室に係止して固定されるようになっている。なお、この第１のコネクタに係止手段を付設していない構成のものの場合には、第２コネクタ３２と同様に、収納体２側の本体部２１の内部に適宜の固定手段を設けることが必要である。
【００３７】
一方、第２のコネクタ３２には、特に専用の係止手段が付設されておらず、従って前述した収納体２側の本体部２１内部に備える固定手段２３を用いて第２収納室２１Ｃ内に固定するように構成されている。なお、この第２のコネクタ３２にも、第１のコネクタ３１と同様に保持部３２Ａを有しているが、この保持部３２Ａの両側面には第１のコネクタ３１の操作部３１Ｂのようなものは備えていない。
【００３８】
ケーブル３３は、収納体２側の本体部２１に第１のコネクタ３１及び第２のコネクタ３２を挿入して固定・保持することにより、このケーブル３３をループ状に固定・保持することができるようになるので、使用者の体の一部、例えば首などから吊り下げるためのストラップを構成するようになっている。
なお、このケーブル３３は、ストラップ具１として使用する場合には、使用者の首などに引掛けるので、電気的な接続手段としての機能を損なわない範囲内で、使用時にできるだけ不快感をもたらす虞のない断面形状や材質のものを選択するのが好ましい。
【００３９】
次に、本実施の形態の通信ケーブル収納用ストラップ具１の組付け方法について詳細に説明する。
（１）初めに、携帯電話機４（図３参照）の図示外のストラップ取付け孔に２本の紐２２を先端部から２本まとめて通してから、この２本の紐２２の間に本体部２１をくぐらせ、本体部２１を携帯電話機４から離れる方向に引っ張れば、ストラップ取付け孔に引っ掛り抜け落ちないための結び部分が形成できる。これにより、通信ケーブル収納用ストラップ具１のうち、収納体２の部分だけは、紐２２を介して携帯電話機４のストラップ取付け孔から外れない状態で常時取付けておくことができる。
【００４０】
従って、このようにしておけば、普段、ケーブル体３を収納体２に固定させていない状態のときには、ループ状の紐部２２を通して収納体２が携帯電話機４のアクセサリーとしても機能させることができるようになる。しかも、この紐部２２は、実質上、リング状に閉じた状態となっているので、このリング状の紐部２２を利用して各種キーを取付けておけば、キーホルダを兼用することができる。
【００４１】
（２）次に、外出先などでケーブル体３を用いてＰＣなどと接続させるような場合には、図３に示すように、外出するのに先立ち、第１挿入孔２１Ａ及び第２挿入孔２１Ｂに、第１コネクタ３１及び第２コネクタ３２をそれぞれ差込んで収容するとともに、固定手段で固定する。
（ｉ）例えば、第１コネクタ３１については、図１において、保持部３１Ａの両側の操作部３１Ｂを指などで挟んで押込んだ状態で第１挿入孔２１Ａへ挿入させ、所定位置まで挿入させたところで、指を離せば第１収納室内で図示外の被係止手段に係止させることができる。
【００４２】
（ｉｉ）一方、第２コネクタ３２については、圧縮ばね２３Ｃの弾性力に抗して、第２収納室２１Ｃに略収まる程度まで保持部３２Ａを奥部へ押込んでしていけば、前述したように、先端面がテーパを有するアーム部２３Ｅが押し開かれていくので、アーム部２３Ｅの先端面が保持部３２Ａの側面３２Ｂ（図１、図６参照）に摺動しながら第２収納室２１Ｃの奥部まで第２コネクタ３２をスムースに挿入させることができる。
そして、所定の深さまで、即ち、アーム部２３Ｅの先端面が第２コネクタ３２の保持部３２Ａの背面３２Ｃ（図１参照）に摺接する位置まで押し込んだところで、その押込み動作を停止すると、図４に示すように、アーム部２３Ｅが互いに閉じる方向に回動して保持部３２Ａがロック状態となる。これにより、その後は、解除部２３Ｆの操作部２３２を押込まない限り、第２コネクタ３２が抜け出すことがない。
このようにして、組付け作業が完了し、通信ケーブル収納用ストラップ具１が完成する。
【００４３】
なお、外出先などでケーブル体３を取り出して使用する場合には、第１コネクタ３１については、保持部３１Ａの両側の操作部３１Ｂを指などで同時に挟んで押込んだ状態で第１挿入孔２１Ａから引き抜けばよい。一方、第２コネクタ３２については、両方の解除部２３Ｆの操作部２３２を同時に押込んだまま第２挿入孔２１Ｂから引き抜けばよい。このようにして、外出先などでケーブル体３を簡単に組み解いて使用できるわけである。
【００４４】
従って、本実施の形態によれば、収納体２の紐部２２を携帯電話機４のストラップ取付け孔（図略）に結びつけて取付けるので、ケーブル３３を使用者の首に引掛ければ、携帯電話機４と一体でケーブル体３を携行することができ、しかもコネクタが脱落する虞がないので、外出中に携帯電話機４を落下させて破損・故障することもなく、安全性にも優れる。
【００４５】
［第２の実施形態］
次に、本発明に係る第２の実施の形態について図７を参照しながら詳細に説明する。なお、この第２の実施の形態において、第１の実施形態と同一部分には同一符号を付して重複説明を避ける。
この第２の実施の形態の通信ケーブル収納用ストラップ具では、収納体２において、第２コネクタ３２を固定保持するために、第１の実施の形態とは異なり、ロック部材２４Ａと圧縮ばね２４Ｂとを備えた固定手段２４を用いている。なお、この第２の実施の形態でも、第１の実施形態と同一のケーブル体３を用いている。
【００４６】
ロック部材２４Ａは、略Ｔ字型に形成されて収納体２の本体部２１に設けた固定室２１Ｆに圧縮ばね２４Ｂを介して収納されており、常時、収納室２１Ｃに向かう方向の弾性力が付勢されている。
【００４７】
また、このロック部材２４Ａには、突出する先端側の係止部２４１が固定室２１Ｆと第２収納室２１Ｃとの間のスライド孔から第２収納室２１Ｃ側へ突き出しており、この係止部２４１の先端面には、第１の実施の形態と同様に、テーパ状の斜面が形成されている。
【００４８】
さらに、このロック部材２４Ａには、側方部分に操作部となる摘み２４２が突設されており、この摘み２４２の先端部分が本体部２１に設けた長孔２１２から外部に突出している。
【００４９】
従って、本実施の形態によれば、第２コネクタ３２を挿入する場合には、先端部分を第２挿入孔２１Ｂから第２収納室２１Ｃの奥部に向けてそのまま押込んでいけばよい。すると、係止部２４１のテーパ状の先端面が保持部３２Ａに係止して摺動された状態で、第２収納室２１Ｃの奥部に向けて収納されていく。
【００５０】
このようにして、第２コネクタ３２の保持部３２Ａの背面３２Ｃに係止するところで押込み動作を停止すれば、係止部２４１が第２収納室２１Ｃに向けて前進移動し、第２コネクタ３２の背面３２Ｃがこの係止部２４１で固定されるので、ロック状態となる。
なお、このロック状態を解除するには、両方の摘み２４２を同時に互いに離間する方向に押出して移動させればよい。
【００５１】
［第３の実施形態］
次に、本発明に係る第３の実施形態について、図８乃至図１０を参照しながら説明する。なお、この第３の実施の形態において、第１の実施の形態と同一部分には同一符号を付して重複説明を避ける。
この第３の実施の形態の通信ケーブル収納用ストラップ具１では、収納体２については、第１又は第２の実施形態のものとは異なる構成のものが使用されている一方、ケーブル体３については、第１及び第２の実施形態のものと同様のものが使用されている。
【００５２】
なお、ここで使用するケーブル体３は、第１のコネクタ３１の保持部３１Ａの厚さｔ１の方が、第２のコネクタ３２の保持部３２Ａの厚さｔ２よりも厚さが薄く
ｉ．ｅ．　　　　　　ｔ１≦ｔ２　　　　　　　　　　・・・・・・（１）
の関係で形成されており、かつ、保持部３１Ａのほうが保持部３２Ａよりも幅狭い形状であるものとする。
【００５３】
収納体２は、一方の端面に設けた第１の収納室２５Ａの第１の挿入口２６Ａの高さｄ１が、第１コネクタ３１の保持部３１Ａの厚さｔ１と略同様又はこれより若干大きくなるように形成されている。
ｄ１≧ｔ１　　　　　　　　　　・・・・・・（２）
【００５４】
一方、収納体２の同一端面に設けた第２の収納室２５Ｂの第２の挿入口２６Ｂの高さｄ２は、第２コネクタ３２の保持部３２Ａの厚さｔ２と略同様又はこれより若干大きくなるように形成されている。
ｄ２≧ｔ２　　　　　　　　　　・・・・・・（３）
【００５５】
さらに、この第３の実施の形態では、図９に示すように、第１の収納室２５Ａの挿入口２６Ａを設けた収納体２の一方の端面とは反対側の他方の端面に、貫通口２６Ｃが開口されており、挿入口２６Ａから挿入させた第１のコネクタ３１がこの貫通口２６Ｃから外部へ引出すことができるようになっている。
【００５６】
この貫通口２６Ｃの高さは、挿入口２６Ａと同一のｄ１（又はこれより若干大きい）に形成されており、従って、前述したように、第１のコネクタ３１の保持部３１Ａの厚さｔ１の方が、第２のコネクタ３２の保持部３２Ａの厚さｔ２よりも薄い形状であるので、図９に示すように、第１のコネクタ３１の保持部３１Ａは引っ張り出せても、第２のコネクタ３２の保持部３２Ａは貫通口２６Ｃより小さく、引っ張り出示すことができないように構成されている。
【００５７】
また、この収納体２には、第１の収納室２５Ａにおいて、第１の実施形態と同様に、第１のコネクタ３１に設けた係止手段３１Ｂと係合する図示外の被係止手段が設けられているが、第１の実施の形態とは異なり、第２のコネクタ３２には固定手段は設けていない。即ち、これは、貫通口２６Ｃの高さｄ１を第２のコネクタ３２の厚さｔ２よりも小さく形成してある（ｄ１≦ｔ２）ため、この第２のコネクタ３２は、第１の収納室２５Ａ内部で抜け止めされた格好で第２収納室２６Ｂに収納されており、固定手段が必要ないように構成されているからである。
【００５８】
次に、この実施形態に係る通信ケーブル収納用ストラップ具１の組付け方法について、図８乃至図１０を参照しながら説明する。
（１）初めに、図８に示すように、第１のコネクタ３１を持って収納体２の第２の挿入口２６Ｂから第２の収納室２５Ｂ奥部へ挿入する。
（２）次に、図９に示すように、貫通口２６Ｃからその第１のコネクタ３１を引出す。そして、ケーブル体３のケーブル３３を最後まで引出せば、第２のコネクタ３２が第２の収納室２Ｂにおいて、貫通口２６Ｃに係止した状態で収納される。
（３）最後に、図１０に示すように、第１のコネクタ３１を収納体２の反対側の端面に設けた第１の挿入口２６Ａに差込んで、係止手段３１Ｂで被係止手段との間で係止させる。これにより、収納体２にリング状のケーブル３３が形成されてストラップ具１が完成したことになる。従って、ケーブル３３を使用者の身体の一部、例えば首に引掛けることができる。
【００５９】
従って、ケーブル体３の第１及び第２のコネクタ３１、３２を収納体２の互いに反対面から独立別個に着脱させることができ、着脱時の操作性を向上させることができる。
なお、この実施形態でも、図８乃至図１０において図示していないが、収納体２の紐部２２を携帯電話機のストラップ取付け孔（図略）に結びつけて取付けあるので、ケーブル３３を使用者の首に引掛ければ、携帯電話機と一体でケーブル体３を携行することができ、しかもコネクタが脱落する虞がないので、安全性にも優れる。
【００６０】
［第４の実施形態］
次に、本発明に係る第４の実施形態について、図１１を参照しながら説明する。なお、この第４の実施の形態において、第１の実施の形態と同一部分には同一符号を付して重複説明を避ける。
この第４の実施の形態の通信ケーブル収納用ストラップ具１では、第１の実施の形態とは異なり、収納体２の互いに向かい合う逆側の端面に、それぞれ第１挿入孔２１Ａ及び第２挿入孔（図略）が開口させている。
【００６１】
一方、ケーブル体３については、第１の実施の形態のものと同様のものを使用しているが、第１のコネクタ３１及び第２のコネクタ３２を挿入すべき第１挿入孔２１Ａ及び第２の挿入孔２１Ｂ（但し、図１１では第２の挿入孔２１Ｂが表示されていない）を間違えるのを防止するために、第１のコネクタ３１、第２のコネクタ３２及び収納体２の表面には、使用者が理解しやすい俗称や愛称のそれぞれ一部を構成する文字Ｎ１〜Ｎ３（会社名、ロゴ、商品名、意匠などでもよい）をそれぞれ部分的分けて刻印してある。
【００６２】
即ち、この実施の形態では、例えば、第１のコネクタ３１の保持部３１Ａの表面に「ＰＡ」、第２のコネクタ３２の保持部３２Ａの表面に「ＮＩＣ」、またこれらの中間に位置する収納体２の本体部２１の表面に「ＮＡＳＯ」が陽刻されている。このため、第１のコネクタ３１及び第２のコネクタ３２を挿入すべき所定の挿入孔２１Ａ及び２１Ｂに正しく挿入すれば、３体を合わせた全体として有意文字、ここでは「ＰＡＮＡＳＯＮＩＣ」の単語を、使用者が視覚的に確認・認識することができる。
【００６３】
従って、本実施の形態によれば、収納体２の本体部２１の各収納室２１Ａに各コネクタ３１、３２をそれぞれ収納したときに、コネクタ３１、３２及び本体部２１の表面全体で、固有の単語を形成することができ、各コネクタが収納させるべき収納室がどちらであるかが、その固有の単語を手掛かりにして、容易に推定することができる。
【００６４】
［第５の実施形態］
次に、本発明に係る第５の実施形態について、図１２を参照しながら説明する。なお、この第５の実施の形態において、第１の実施の形態と同一部分には同一符号を付して重複説明を避ける。
この第５の実施の形態の通信ケーブル収納用ストラップ具１は、収納体２と、ケーブル体３と、結束体５とを備えている。
【００６５】
この第５の実施の形態の通信ケーブル収納用ストラップ具１でも、第１の実施形態と同一のケーブル体３を用いているが、第１の実施の形態とは異なり、収納体２には機械的な固定手段を設けておらず、いわばキャップのような構成となっている。
【００６６】
即ち、収納体２の一方側の端面には、ケーブル体３の第１のコネクタ３１及び第２のコネクタ３２が同時に挿入できるように、収納室２８の挿入口である挿入孔２７Ａが高さｈ１の大きさに大きく（大孔に）開口されている。
ｈ１≧ｔ１＋ｔ２　　　　　　・・・・・・（４）
但し、ｔ１：第１のコネクタ３１の保持部３１Ａの厚さ
ｔ２：第２のコネクタ３２の保持部３２Ａの厚さ
【００６７】
一方、この収納体２の他方側の端面には、紐部３３のみが通り抜けることができて第１のコネクタ３１又は第２のコネクタ３２は通り抜け不可能な高さに開口された挿通孔２７Ｂが高さｈ２の大きさに小さく（小孔に）開口されている。
ｈ１≧ｔ１，ｔ２　　　　　　・・・・・・（５）
【００６８】
結束体５は、長期間に亙って繰り返し伸縮性を保持できる輪ゴム状のもので構成されており、ケーブル体３を通信ケーブル収納用ストラップ具１の一部として使用するときに、一つに束ねたケーブル３３が解けてばらばらに開かないように結束させるようになっている。
【００６９】
次に、この実施形態に係る通信ケーブル収納用ストラップ具１の組付け方法について説明する。
（１）初めに、収納体２とケーブル体３とを用い、図１２の実線のように
ケーブル体３の第１コネクタ３１及び第２コネクタ３２を一つにまとめるような状態でケーブル３３も半分に折り曲げると、実質的にケーブル３３は２本が束ねられた状態になる。
【００７０】
（２）そこで、図１２に示すように、つまり、この束ねたケーブル３３の先端の部分と、収納体２の大孔である挿入孔２７Ａとが正対するような状態で配置させ、ケーブル３３の先端を収納体２の挿入孔２７Ａから収納室２８へ挿入させていく。
【００７１】
（３）そして、ケーブル３３の先端を収納室２８を貫通させて挿入孔２７Ａとは反対側の挿通孔２７Ｂから外部へ引出すようにする。そして、最後までケーブル３３を引っ張り出すと、図１２において、破線のような状態となる。
【００７２】
（４）そこで、最後に、結束体５を２本に束ねたケーブル３３の先から、或いは収納体２側から通して収納体２のできるだけ近傍のケーブル３３を一つにまとめるようにする。これにより、通信ケーブル収納用ストラップ具１が出来上がる。
【００７３】
［第６の実施形態］
次に、本発明に係る第６の実施の形態について、図１３〜図１６を参照しながら説明する。なお、この第６の実施の形態において、第１、第５の実施の形態と同一部分には同一符号を付して重複説明を避ける。
第６の実施の形態の通信ケーブル収納用ストラップ具１は、図１３〜図１４に示すように、第５の実施の形態とは異なり、収納体２が蓋付き箱状に形成されているとともに、結束体５を特に必要としていない。
【００７４】
収納体２は、ケーブル体３のケーブル３３を容易に挿通孔２７Ｂに挿通させたり、ケーブル体３端部の第１のコネクタ３１及びこれを設けた保持部３１Ａと、第２のコネクタ３２及びこれを設けた保持部３２Ａとを容易に収納室２８に収納させるなどのために、挿入孔２７Ａを大きく開口させた構成となっている。
また、この収納体２には、前述したように、この大きく開口させた挿入孔２７Ａを開閉可能に閉鎖するための蓋２９を設けている。この蓋２９と収納体２の挿入孔２７Ａの周縁部とには、互いに対向・対面する表面に異極を配置させたマグネットＧが設置されており、普段、磁力で蓋２９を閉じておくように構成されている。
なお、この蓋２９を収納体２へ閉鎖させるための手段としては、本実施形態のようなマグネットに限定されるものではなく、例えばフック、ボタン、止め金、ベルクロ、その他適宜のものが適用可能である。また、この蓋２９の収納体２への取付けのためのヒンジとしては、本実施の形態のような蝶番を用いずに、収納体２と薄肉状のヒンジ部で回動自在に連結させてもよい。
【００７５】
次に、本実施の形態に係る通信ケーブル収納用ストラップ具１の組付け方法について説明する。
（１）初めに、図１５に示すように、ケーブル体３の第１コネクタ３１及び第２コネクタ３２を一方にまとめるような状態でケーブル３３も半分に折り曲げるようにする。そして、半分に折り曲げて２本を束ねたケーブル３３の先端部分を、蓋２９を開けて挿入孔２７Ａが大きく開口された収納体２の収納室２８の方から外方に向けて挿通孔２７Ｂに通していく。
【００７６】
（２）そして、ケーブル３３の先端部分を収納体２の挿通孔２７Ｂに通し終えたならば、このケーブル３３の先端部分を外部から引っ張り、ケーブル体３の第１コネクタ３１及び第２コネクタ３２やこれらの保持部３１Ａ及び３２Ａを収納体２の収納室２８へ収納させる。
【００７７】
（３）そして、図１６に示すように、第１コネクタ３１及び第２コネクタ３２やこれらの保持部３１Ａ及び３２Ａを収納室２８を完全に収納されたならば、蓋２９を閉じると図１３に示す状態となり、通信ケーブル収納用ストラップ具１が出来上がる。
【００７８】
従って、図３に示すように、紐部２２を携帯電話機のストラップ取付け孔に通して止めるとともに、ケーブル３３を使用者の首等の体の一部や携行する鞄などに引掛けるようにすれば、携帯電話機と一体でケーブル体３を持ち運ぶことができるので、外出の際に持ち忘れることが防止できる。
【００７９】
また、本実施の形態によれば、収納するコネクタ３１、３２及びこれを保持する保持部３１Ａ、３２Ａの形状より大きな容積の収納室２８を有する収納体２であれば、コネクタ３１、３２及びこれを保持する保持部３１Ａ、３２Ａの形状によらず収納可能であり、しかも収納体２の構造が簡単であるので、製造が容易であるとともに製造コストの削減を図ることができる。
【００８０】
なお、これらの実施の形態では、ケーブル体３として、一方側に係止手段を設けた第１のコネクタ３１と、他方側にＵＳＢ端子に接続させる端子を設けた第２のコネクタ３２を備えた構成としたが、特にこのような構成のものに限定されるものではなく、各種対応のコネクタを備えたケーブル体が適用可能である。
【００８１】
【発明の効果】
以上説明してきたように、本発明は、携帯電話機器及び電子機器と接続する第１のコネクタ及び第２のコネクタをケーブル両端に設けた通信ケーブル体と、携帯電話機器又は電子機器に取付ける紐部を有する収納体とを備え、紐部を介して携帯電話機器又は電子機器に取付けた収納体に備える収納室に第１コネクタ及び第２のコネクタを収納して固定したケーブル体の輪状をなすケーブルを、使用者の身体又は携行品の一部に吊り下げるストラップ用の紐として用いている。
【００８２】
従って、本発明によれば、収納体を携帯電話機器又は電子機器に常時取付けておくことができるので、外出する際に通信ケーブル体を持ち忘れるのを防止することができる。
【図面の簡単な説明】
【図１】本発明の第１の実施の形態に係る通信ケーブル収納用ストラップ具の構成を示す分解斜視図である。
【図２】本発明の第１の実施の形態に係る通信ケーブル収納用ストラップ具の収納体を示すものであって、（Ａ）は平面図、（Ｂ）は正面図である。
【図３】本発明の第１の実施の形態に係る通信ケーブル収納用ストラップ具の全体を示す斜視図である。
【図４】図１に示す本発明の第１の実施の形態に係る通信ケーブル収納用ストラップ具の収納体に設けた固定手段を示す概略構成図である。
【図５】図４に示す本発明の第１の実施の形態に係る通信ケーブル収納用ストラップ具の固定手段における基端部側のアーム部の作用を示すものであって、（Ａ）はロック状態のときの説明図、（Ｂ）はロック解除のときの説明図である。
【図６】図４に示す本発明の第１の実施の形態に係る通信ケーブル収納用ストラップ具の固定手段における先端部側のアーム部の作用を示すものであって、（Ａ）は第２のコネクタを挿入直後の係合状態を示す説明図、（Ｂ）はその後の第２のコネクタとの係合状態を示す説明図である。
【図７】本発明の第２の実施の形態に係る通信ケーブル収納用ストラップ具の収納体に設けた固定手段を示す概略構成図である。
【図８】本発明の第３の実施の形態に係る通信ケーブル収納用ストラップ具の構成を示す分解斜視図である。
【図９】図８に示す本発明の第３の実施形態に係る通信ケーブル収納用ストラップ具の組付け途中の状態を示す斜視図である。
【図１０】図８に示す本発明の第３の実施形態に係る通信ケーブル収納用ストラップ具の最終組付けの完成する直前の状態を示す斜視図である。
【図１１】本発明の第４の実施の形態に係る通信ケーブル収納用ストラップ具の構成を示す分解斜視図である。
【図１２】本発明の第５の実施の形態に係る通信ケーブル収納用ストラップ具の構成及び組付け手順を示す分解斜視図である。
【図１３】本発明の第６の実施の形態に係る通信ケーブル収納用ストラップ具を示す概略斜視図である。
【図１４】本発明の第６の実施の形態に係る通信ケーブル収納用ストラップ具を示すものであり、（Ａ）は一方側からみた収納体を示す概略斜視図、（Ｂ）はその反対側から見た収納体を示す概略斜視図である。
【図１５】本発明の第６の実施の形態に係る通信ケーブル収納用ストラップ具に係る収納体にケーブル体３を収納させるためにケーブルを挿通孔に挿入させるときの状態を示す説明図である。
【図１６】本発明の第６の実施の形態に係る通信ケーブル収納用ストラップ具に係る収納体にケーブル体３のコネクタなどを収納させた状態を示す説明図である。
【図１７】パソコンと携帯電話機とを通信ケーブルで接続した状態を示す概略構成図である。
【図１８】図１７に示す通信ケーブルの構成を示す説明図である。
【図１９】パソコンと携帯電話機とを通信ケーブルで接続した状態を示す概略斜視図である。
【符号の説明】
１　　　　　通信ケーブル収納用ストラップ具
２　　　　　収納体
２１　　　　本体部
２１Ａ　　　第１挿入孔
２１Ｂ　　　第２挿入孔
２１Ｃ　　　第２収納室
２１Ｄ　　　固定室
２１Ｆ　　　固定室
２２　　　　紐部
２３　　　　固定手段
２３Ａ　　　本体
２３Ｂ　　　アーム部（基端部側）
２３Ｃ　　　圧縮ばね
２３Ｄ　　　回動軸
２３Ｅ　　　アーム部（先端部側）
２３Ｆ　　　解除部
２４　　　　固定手段
２４Ａ　　　ロック部材
２４Ｂ　　　圧縮ばね
２５Ａ　　　第１の収納室
２５Ｂ　　　第２の収納室
２６Ａ　　　第１の挿入口
２６Ｂ　　　第２の挿入口
２６Ｃ　　　貫通口
２７Ａ　　　挿入孔（大孔）
２７Ｂ　　　挿通孔（小孔）
２８　　　　収納室
３　　　　　通信ケーブル体
３１　　　　第１のコネクタ
３１Ａ　　　保持部
３１Ｂ　　　操作部
３２　　　　第２のコネクタ
３３　　　　ケーブル
４　　　　　携帯電話機
５　　　　　結束体
Ｎ１〜Ｎ３文字
【図１】
2004079971.tif 000003
【図２】
2004079971.tif 000004
【図３】
2004079971.tif 000005
【図４】
2004079971.tif 000006
【図５】
2004079971.tif 000007
【図６】
2004079971.tif 000008
【図７】
2004079971.tif 000009
【図８】
2004079971.tif 000010
【図９】
2004079971.tif 000011
【図１０】
2004079971.tif 000012
【図１１】
2004079971.tif 000013
【図１２】
2004079971.tif 000014
【図１３】
2004079971.tif 000015
【図１４】
2004079971.tif 000016
【図１５】
2004079971.tif 000017
【図１６】
2004079971.tif 000018
【図１７】
2004079971.tif 000019
【図１８】
2004079971.tif 000020
【図１９】
2004079971.tif 000021